(57)【要約】      （修正有）【課題】原木丸太の各作業現場で稼働するフォークリフトが、運搬する一回分の複数本の原木丸太の両端面を迅速に揃えることより、連続しての椪積み作業やトラック荷台への積み込み作業を短時間で省力的に行うことができる原木丸太の両端揃え装置を提供する。【解決手段】支持基台１ａの両端に装着されている上開き状態の一対の可動プレート５の上からフォークリフトのフォークに不揃え状態の複数本の定尺原木丸太１２を載せたまま進入し、原木丸太を可動プレートの上方から中央部へ自重で降下させると、一対の可動プレート５の内面幅が回転軸受けの高さで定尺原木丸太の長さに設定してあるため、複数本の定尺原木丸太が自ら端面を揃えながらストッパーまで降下する、この時点で一対の可動プレートは直立するので上層の原木丸太もすべて両端面を揃えることが可能となる。【選択図】図１
2016088076.tif 000002
【特許請求の範囲】
【請求項１】
支持基台上の両端に、其々に軸穴が設けられている支柱の一対が配置され、その軸穴に内面の下端にストッパーと裏面の中心よりやや下方に軸受ブラケットを有した一対の可動プレートが相対峙して回転可能に装着されていて、その軸受けブラケットに装着されたバネ等の復帰装置で一対の可動プレートが常時上開き状態になっている、一対の支柱の間隔は２枚の可動プレートが直立した状態でプレート内面の間隔が定尺原木丸太の長さに設定配置されていることを特徴とした原木丸太の端面揃え装置。
【請求項２】
支持基台上の両端に、２個の軸穴が設けられている台座の一対が配置され、各々の台座の内側軸穴には、下方に台座接続用の軸受ブラケットと裏面の上方に流体圧シリンダー用軸受ブラケットを設けた可動プレート一対が常時上開きの状態で相対峙して装着されていて、一方の外側軸穴と裏面のシリンダー用ブラケット間には流体圧シリンダーが接続されている、同じく支持基台には流体圧シリンダーを伸縮作動させるための動力スイッチが装備されている、一対の台座の間隔はプレートが直立した状態で内面の間隔が定尺原木丸太の長さに設定配置されていることを特徴とする原木丸太の端面揃え装置。
【発明の詳細な説明】
【技術分野】
【０００１】  複数本の原木丸太の両端面を２枚のプレートで押さえて揃える装置に関する。
【技術背景】
【０００２】  森林から切り出された、針葉樹系の原木丸太は主に３ｍ，４ｍの定尺寸法で造材されるが、製材工場に到着し柱などの建築用材になるまでに山間貯木場、市売り貯木場、製材工場貯木場までの経路を経て流通する、その度に各貯木場でフォークリフト等による原木丸太の樹種や定尺の長さを分ける仕分け作業、原木丸太を積み上げる椪積み作業、椪積みされた丸太の山を取り崩す積み下ろし作業及び運搬トラックへの積込み作業を繰返す為、その度に原木丸太が不揃えになり整頓された椪積み恰好にするのに、人力による一本ずつの揃え作業が必要となり、労力と時間がかかる状況がある。
【発明の概要】
【発明が解決しようとする課題】
【０００３】  不揃えに置かれた原木丸太をフォークリフト等で荷役作業をする場合、整頓された椪積み恰好にするためには、人力で複数本の原木丸太の端面を揃えるか、フォークの上に載せたままハンドルを切って壁に押し当て片方を揃えた後反対側も同じ動作をすることで両端面を揃えていた。この方法は重労働で時間が掛るのと、フォークリフトの操舵部分に損傷が発生し易くフォークリフトのメンテナンスコストが高くなる課題があった。
【課題を解決するための手段】
【０００４】１例として支持基台上の両端に、其々に軸穴が設けられている支柱の一対が配置され、その軸穴に内面の下端にストッパーと裏面の中心よりやや下方に軸受ブラケットを有した一対の可動プレートが相対峙して回転可能に装着されていて、その軸受ブラケットに装着されたバネ等の復帰装置で一対の可動プレートが常時上開き状態になっている、一対の支柱の間隔は２枚の可動プレートが直立した状態でプレート内面の間隔が定尺原木丸太の長さに設定配置されているため、不揃いの複数本の原木丸太が自重でストッパーまで降下した時点で両端面を揃える手段。【０００５】  ２例として支持基台上の両端に、２個の軸穴が設けられている台座の一対が配置され、各々の台座の内側軸穴には、下方に台座接続用の軸受ブラケットと裏面の上方に流体圧シリンダー用軸受ブラケットを設けた可動プレート一対が常時上開きの状態で相対峙して装着されていて、一方の外側軸穴と裏面のシリンダー用ブラケット間には流体圧シリンダーが接続されている、同じく支持基台には流体圧シリンダーを伸縮作動させるための動力スイッチが装備されている、一対の台座の間隔はプレートが直立した状態で内面の間隔が定尺原木丸太の長さに設定配置されていることで、流体圧力で丸太の両端面を揃える手段。
【発明の効果】
【０００６】  本発明を採用すると、原木丸太の各作業現場で稼働するフォークリフトが、運搬する一回分の複数本の原木丸太の両端面を迅速に揃えることより、連続しての椪積み作業やトラック荷台への積み込み作業を短時間で省力的に行うことができる。
【図面の簡単な説明】
【０００７】
【図１】実施例１の装置の作動前の状態を示す正面図
【図２】実施例１の装置の作動後の状態を示す正面図
【図３】実施例１の装置の作動中の状態を示す側面図
【図４】実施例２の装置の作動前の状態を示す正面図
【図５】実施例２の装置の作動後の状態を示す正面図
【図６】実施例２の油圧、空気圧、電気回路図を示す
【発明を実施する為の形態】
【０００８】  この発明の実施例を以下で説明する、実施例１で動力を使用せず丸太の自重を利用して作動する装置を図１と図２と図３で示し、実施例２では動力を使用して回転軸受付き可動プレートが扇状に可動する装置を図４と図５で示し、図６で実施例２の動力回路図を示す
【実施例１】
【０００９】  図１で示す支持基台１ａの両端に設けられた固定側支柱９ａと移動側支柱１０ａの軸穴に接続された一対の軸受付き可動プレート５を相対峙して装着し、そのプレート一対は回転軸受ブラケット７ａと支柱間に装着された復帰バネの効果で常時上開き状態となる、その中心部へ、フォークリフトのフォーク１１に載せたままの不揃いの複数本の定尺原木丸太１２を上から自重で降ろすと、２枚の可動プレート５の回転軸受の高さ付近でプレート内面の間隔が定尺原木丸太の寸法に設定してあるため、原木丸太全体の重さでプレート下部を押し広げるともにプレート上部間を縮小させて２枚のプレート５が直立状態となる、ストッパー１３まで下った時点で全体の両端面が揃う事になる。この発明は動力を用いず原木丸太の自重を利用して稼働出来るため、動力電源の無い山間部や野外の貯木場等での使用が可能と言える【００１０】  前項では可動プレート５の一対が常時上開きにするために復帰バネを利用したが、回転軸受ブラケット７ａの先端に重錘を装着しても同じ効果が可能である。
【実施例２】
【００１１】  図４で示す支持基台１ｂの両端に設けられた固定側台座９ｂと移動側台座１０ｂの上部に２個設けてある軸穴のうち内側軸穴に、裏面下端に回転軸受ブラケット７ｂとその上方に流体圧シリンダー４のシリンダー用ブラケット７ｃを備えた一対の軸受付き可動プレート６を相対峙して装着し、そのシリンダー用ブラケット７ｃとそれぞれの台座の外側軸穴に流体圧シリンダー４を繋ぐ、流体圧シリンダー４が圧力を受けて伸長すると、可動プレート６の下端の軸受を中心に回転しプレート６の上部が扇状に閉じる構造になっている、この場合もプレート６が直立した時点のプレート下端の内面間隔は定尺原木丸太の長さに設定してある。フォークリフトのフォーク１１に不揃いの複数本の定尺原木丸太１２を乗せたまま常時上開き状態の一対の可動プレートの中心部へ上からフォークを降ろすと丸太の下面が動力スイッチ３を押して電源が入り、流体圧シリンダー４が圧力を受けて伸長し一対の可動プレート６が直立位置まで丸太の端面を押しながら回転し、複数本の定尺原木丸太１２の両端面を迅速に揃える、その後フォークを上げると動力スイッチが解放されプレートは上開き状態に復帰する。【００１２】  前項の可動プレート復帰の方法について、流体種類が油圧の場合を第６図の油圧回路図で示す、動力スイッチ３が入ると電動モータが起動しポンプより油圧が発生する、同時に電磁方向切り替え弁が連動して切替わり流体圧シリンダー４が伸長する、この状態が丸太の端面を揃える行程になる、フォークを上げると動力スイッチ３が解放され電動モータとポンプ及び電磁方向切替え弁が停止し、流体圧シリンダー４のロッド側が常時受けている空気圧の圧力で流体圧シリンダー４は収縮し元の位置に戻る、この場合は油圧と空気圧の設定圧力差を利用する。【００１３】  同じく第１案と第２案の移動側支柱及び台座の移動については、作業中に原木丸太の定尺寸法が、例えば３ｍ材から４ｍ材に変更に成った場合、支持台のセットピン８を脱着して４ｍ用ピン穴にセットする。
【産業上の利用可能性】
【００１４】  国内森林の循環資源である木材を低コストで搬出し、安価で大量の木材を供給することは間伐を促進し、災害に強い森林を醸成するための森林整備を進めることに繋がり、さらに国産木材の利用範囲を広げることに繋がる。その為には原木流通のネックとなっている各貯木場における原木作業のスピードアップ化と省力化を図る必要が有り、本発明はその一助となる。
【符号の説明】
【００１５】  １ａ  実施例１の支持基台
１ｂ  実施例２の支持基台
２    接地ベース板
３    実施例２の動力スイッチ板
４    実施例２の流体圧シリンダー
５    実施例１の軸受付き可動プレート
６    実施例２の軸受付き可動プレート
７ａ  実施例１のプレート回転軸受ブラケット
７ｂ  実施例２のプレート回転軸受ブラケット
７ｃ  実施例２の流体圧シリンダー用ブラケット
８    位置止めセットピン
９ａ  実施例１の固定側支柱
９ｂ  実施例２の固定側台座
１０ａ  実施例１の移動側支柱
１０ｂ  実施例２の移動側台座
１１    フォークリフトのフォーク
１２    原木丸太
１３    ストッパー
１４    復帰バネ
【図１】
2016088076.tif 000003
【図２】
2016088076.tif 000004
【図３】
2016088076.tif 000005
【図４】
2016088076.tif 000006
【図５】
2016088076.tif 000007
【手続補正書】
【提出日】平成26年12月15日(2014.12.15)
【手続補正１】
【補正対象書類名】図面
【補正対象項目名】図６
【補正方法】追加
【補正の内容】
【図６】
2016088076.tif 000008